(57)【要約】【課題】照明器具からの光の色合いを変えずに、照明器具からの光の明るさを暗くすることを容易に行える照明器具を提供する。【解決手段】照明器具は、所定の色の光を発するＮ（Ｎは１以上の整数）個の蛍光ランプと、前記所定の色と同系統の色の光を発するＭ（Ｍは１以上の整数）個のＬＥＤと、前記Ｎ個の蛍光ランプからの光の出力と、前記Ｍ個のＬＥＤからの光の出力と、を制御することによって、調光を行う制御手段と、を含む。【選択図】図２
2011150914.tif 000002
【特許請求の範囲】
【請求項１】
所定の色の光を発するＮ（Ｎは１以上の整数）個の蛍光ランプと、
前記所定の色と同系統の色の光を発するＭ（Ｍは１以上の整数）個のＬＥＤと、
前記Ｎ個の蛍光ランプからの光の出力と、前記Ｍ個のＬＥＤからの光の出力と、を制御することによって、調光を行う制御手段と、を含む照明器具。
【請求項２】
請求項１に記載の照明器具において、
前記制御手段は、前記Ｎ個の蛍光ランプのうち少なくとも１個の蛍光ランプと前記Ｍ個のＬＥＤとが光を発している状況で、照明光を暗くする旨の暗指示を受け付けるごとに、当該暗指示に応じて前記Ｍ個のＬＥＤからの光の出力を変更することなく前記Ｎ個の蛍光ランプからの光の総量を徐々に小さくし、また、前記Ｎ個の蛍光ランプが消灯し前記Ｍ個のＬＥＤのうち少なくとも１個のＬＥＤが光を発している状況で、前記暗指示を受け付けるごとに、前記Ｎ個の蛍光ランプを消灯したまま前記Ｍ個のＬＥＤからの光の総量を徐々に小さくする、照明器具。
【請求項３】
請求項１または２に記載の照明器具において、
前記制御手段は、
前記Ｎ個の蛍光ランプが消灯し前記Ｍ個のＬＥＤからの光の総量が所定量となっていない状況で、照明光を明るくする旨の明指示を受け付けるごとに、前記Ｎ個の蛍光ランプを消灯したまま前記Ｍ個のＬＥＤからの光の総量を徐々に大きくし、
前記Ｎ個の蛍光ランプが消灯し前記Ｍ個のＬＥＤからの光の総量が前記所定量となっている状況で、前記明指示を受け付けると、当該明指示に応じて前記Ｍ個のＬＥＤからの光の出力を変更することなく前記Ｎ個の蛍光ランプのうち少なくとも１個の蛍光ランプから光を出力させ、
前記Ｎ個の蛍光ランプからの光の総量が特定量となっておらず前記Ｍ個のＬＥＤからの光の総量が前記所定量となっている状況で、前記明指示を受け付けると、当該明指示に応じて前記Ｍ個のＬＥＤからの光の出力を変更することなく前記Ｎ個の蛍光ランプからの光の総量を徐々に大きくする、照明器具。
【請求項４】
請求項３に記載の照明器具において、
前記所定量は、前記Ｍ個のＬＥＤのそれぞれが最大出力で発した光の総量であり、前記特定量は、前記Ｎ個の蛍光ランプのそれぞれが最大出力で発した光の総量である、照明器具。
【発明の詳細な説明】
【技術分野】
【０００１】
本発明は、照明器具に関し、特には、蛍光ランプとＬＥＤ（発光ダイオード）とを備えた照明器具に関する。
【背景技術】
【０００２】
特許文献１には、ＬＥＤからの赤色光と環形蛍光ランプからの光とを同時に出力する照明器具が記載されている。特許文献１に記載の照明器具では、ＬＥＤは、環形蛍光ランプの内側に配置され、また、特許文献１に記載の照明器具からの光は、ＬＥＤからの光の色と蛍光ランプからの光の色とが混ざった色合いを有する。
【０００３】
特許文献１に記載の照明器具では、照明器具からの光の明るさを暗くする場合、照明器具からの光の色合いが変わらないように、蛍光ランプからの光の出力とＬＥＤからの光の出力とが同時に低減される。
【先行技術文献】
【特許文献】
【０００４】
【特許文献１】特開２００４−１６５１０５号公報
【発明の概要】
【発明が解決しようとする課題】
【０００５】
特許文献１に記載の照明器具では、蛍光ランプからの光の色は、ＬＥＤからの光の色と異なる。このため、特許文献１に記載の照明器具では、照明器具からの光の色合いを変えることなく照明器具からの光の明るさを暗くする場合、蛍光ランプからの光の出力とＬＥＤからの光の出力とを同時に低減するという複雑な制御を行わなければならないという課題があった。
【０００６】
本発明の目的は、上述した課題を解決可能な照明器具を提供することにある。
【課題を解決するための手段】
【０００７】
本発明の照明器具は、所定の色の光を発するＮ（Ｎは１以上の整数）個の蛍光ランプと、
前記所定の色と同系統の色の光を発するＭ（Ｍは１以上の整数）個のＬＥＤと、
前記Ｎ個の蛍光ランプからの光の出力と、前記Ｍ個のＬＥＤからの光の出力と、を制御することによって、調光を行う制御手段と、を含む。
【発明の効果】
【０００８】
本発明によれば、照明器具からの光の色合いを変えずに、照明器具からの光の明るさを暗くすることを容易に行うことが可能になる。
【図面の簡単な説明】
【０００９】
【図１】本発明の一実施形態の照明器具１００を示した模式図である。
【図２】照明器具１００を示したブロック回路図である。
【図３】調光レベルと、蛍光ランプ１および２とＬＥＤ３、４および５との動作と、の関係を示した図である。
【発明を実施するための形態】
【００１０】
以下、本発明の実施形態について図面を参照して説明する。
【００１１】
図１は、本発明の一実施形態の照明器具１００を示した模式図である。
【００１２】
図１において、照明器具１００は、蛍光ランプ１および２と、ＬＥＤ（発光ダイオード）３、４および５と、出力制御回路６と、器具本体７と、を含む。なお、蛍光ランプの数Ｎは２に限らず１以上の整数であればよい。また、ＬＥＤの数Ｍは３に限らず１以上の整数であればよい。
【００１３】
図２は、照明器具１００を示したブロック回路図である。図２において、図１に示したものと同一構成のものには同一符号を付してある。なお、図２では、リモコン８と明るさセンサー９とをさらに示している。
【００１４】
蛍光ランプ１および２は、白色光を発する。白色は、一般的に所定の色と称することができる。所定の色は、白色に限らず適宜変更可能である。蛍光ランプ１および２は、環形であり、蛍光ランプ１の環外径は、蛍光ランプ２の環外径よりも大きい。蛍光ランプ１および２は、器具本体７に同心円状に配置されている。
【００１５】
ＬＥＤ３、４および５は、蛍光ランプ１および２からの光の色と同系統の色である白色の光を発する。ＬＥＤ３、４および５のそれぞれは、蛍光ランプ１および２のうち最小の環外径を有する蛍光ランプ２の内側に配置される。
【００１６】
出力制御回路６は、一般的に制御手段と呼ぶことができる。
【００１７】
出力制御回路６は、蛍光ランプ１および２からの光の出力と、ＬＥＤ３、４および５からの光の出力と、を制御する。
【００１８】
出力制御回路６は、例えば、リモコン８または明るさセンサー９から、照明器具１００からの光（以下「照明光」と称する）の明るさを変更するための指示を受信すると、その指示に応じて、照明光の明るさを規定する調光レベルを変更する。出力制御回路６は、調光レベルに応じて、蛍光ランプ１および２からの光の出力と、ＬＥＤ３、４および５からの光の出力と、を制御する。なお、調光レベルは、出力制御回路６に記憶される。
【００１９】
本実施形態では、調光レベル１００％では、蛍光ランプ１および２のそれぞれが最大出力で光を発し、かつ、ＬＥＤ３、４および５のそれぞれが最大出力で光を発する。また、調光レベルが小さくなるにつれて、照明光が暗くなっていく。
【００２０】
出力制御回路６は、２（Ｎ＝２）個の蛍光ランプのうち少なくとも１個の蛍光ランプと３（Ｍ＝３）個のＬＥＤとが光を発している状況で、照明光を暗くする旨の暗指示を受け付けるごとに、調光レベルを小さくして、暗指示に応じて３個のＬＥＤからの光の出力を変更することなく２個の蛍光ランプからの光の総量を徐々に小さくする。
【００２１】
出力制御回路６は、２個の蛍光ランプが消灯し３個のＬＥＤのうち少なくとも１個のＬＥＤが光を発している状況で、暗指示を受け付けるごとに、調光レベルを小さくして、２個の蛍光ランプを消灯したまま３個のＬＥＤからの光の総量を徐々に小さくする。
【００２２】
出力制御回路６は、２個の蛍光ランプが消灯し３個のＬＥＤからの光の総量が所定量となっていない状況で、照明光を明るくする旨の明指示を受け付けるごとに、調光レベルを大きくして、２個の蛍光ランプを消灯したまま３個のＬＥＤからの光の総量を徐々に大きくする。
【００２３】
所定量は、例えば、３個のＬＥＤのそれぞれが最大出力で発した光の総量である。なお、所定量は、３個のＬＥＤのそれぞれが最大出力で発した光の総量に限らず適宜変更可能であり、例えば、３個のＬＥＤのそれぞれが最大出力で発した光の総量よりも小さい量でもよい。
【００２４】
出力制御回路６は、２個の蛍光ランプが消灯し３個のＬＥＤからの光の総量が所定量となっている状況で、明指示を受け付けると、調光レベルを大きくして、明指示に応じて３個のＬＥＤからの光の出力を変更することなく２個の蛍光ランプのうち少なくとも１個の蛍光ランプから光を出力させる。
【００２５】
出力制御回路６は、２個の蛍光ランプからの光の総量が特定量となっておらず３個のＬＥＤからの光の総量が所定量となっている状況で、明指示を受け付けると、調光レベルを大きくして、明指示に応じて３個のＬＥＤからの光の出力を変更することなく２個の蛍光ランプからの光の総量を徐々に大きくする。
【００２６】
特定量は、例えば、２個の蛍光ランプのそれぞれが最大出力で発した光の総量である。なお、特定量は、２個の蛍光ランプのそれぞれが最大出力で発した光の総量に限らず適宜変更可能であり、例えば、２個の蛍光ランプのそれぞれが最大出力で発した光の総量よりも小さい量でもよい。
【００２７】
器具本体７には、蛍光ランプ１および２と、ＬＥＤ３、４および５と、出力制御回路６とが配置される。
【００２８】
リモコン８は、一般的に、調光レベルを設定する設定手段と呼ぶことができる。
【００２９】
リモコン８は、暗ボタン８１と、明ボタン８２と、を含む。リモコン８は、暗ボタン８１が操作されると、暗指示を出力する。リモコン８から出力された暗指示は、出力制御回路６にて受け付けられる。また、リモコン８は、明ボタン８２が操作されると、明指示を出力する。リモコン８から出力された明指示は、出力制御回路６にて受け付けられる。
【００３０】
明るさセンサー９は、一般的に、調光レベルを設定する設定手段と呼ぶことができる。
【００３１】
明るさセンサー９は、照明器具１００の周囲の明るさを検出する。明るさセンサー９は、照明器具１００の周囲の明るさが、予め定められた閾値よりも明るい場合、暗指示を出力する。明るさセンサー９から出力された暗指示は、出力制御回路６にて受け付けられる。明るさセンサー９は、照明器具１００の周囲の明るさが、予め定められた閾値よりも暗い場合には、明指示を出力する。明るさセンサー９から出力された明指示は、出力制御回路６にて受け付けられる。このため、照明器具１００に明るさセンサー９が設けられると、照明器具１００からの照明光の明るさを、自動的に調節することが可能になる。
【００３２】
なお、調光レベルを設定する設定手段は、リモコン８または明るさセンサー９に限らず適宜変更可能である。
【００３３】
また、図２では、設定手段としてリモコン８と明るさセンサー９とを示したが、設定手段は、リモコン８と明るさセンサー９のいずれか一方でもよい。
【００３４】
次に、動作を説明する。
【００３５】
出力制御回路６は、リモコン８からの指示によって、または、明るさセンサー９からの指示によって、調光レベルが変更されると、変更後の調光レベルに応じて、以下の（１）〜（３）のように、蛍光ランプの出力とＬＥＤの出力とを制御する。
【００３６】
（１）調光レベル１００%〜５０%の場合（なお、５０％は含まない。）
出力制御回路６は、蛍光ランプ１および２については調光レベルに応じた変調による調光を行い、ＬＥＤ３、４および５については１００%の出力で点灯させる。なお、調光レベルに応じた変調とは、調光レベルが小さくなるにつれて、蛍光ランプへの交流駆動電圧の周波数を低くする制御のことである。
【００３７】
（２）調光レベル５０%〜２０%の場合（なお、２０％は含まない。）
出力制御回路６は、蛍光ランプ１については消灯し、蛍光ランプ２については調光レベルに応じた変調による調光を行い、ＬＥＤ３、４および５については１００%の出力で点灯させる。
【００３８】
（３）調光レベル２０%〜０%
出力制御回路６は、蛍光ランプ１および２については消灯し、ＬＥＤ３、４および５については、ＬＥＤ３、４および５への直流駆動電流の大きさを調光レベルに応じて変更することによって調光を行う。
【００３９】
図３は、調光レベルと、蛍光ランプ１および２とＬＥＤ３、４および５との動作と、の関係を示した図である。なお、図３では、ＬＥＤ３、４および５をまとめて「ＬＥＤ」と示している。
【００４０】
なお、出力制御回路６の制御手法を分けるための調光レベルは、５０％と２０％に限らず、適宜変更可能である。また、蛍光ランプの数が多いほど、調光レベルにて分けられる出力制御回路６による蛍光ランプの制御手法の数が多くなることが望ましい。
【００４１】
本実施形態によれば、Ｍ個のＬＥＤは、Ｎ個の蛍光ランプからの光の色と同系統の色の光を発する。
【００４２】
このため、調光を行うために、出力制御回路６が、Ｎ個の蛍光ランプからの光の出力と、Ｍ個のＬＥＤからの光の出力と、を任意に調節しても、照明器具１００からの照明光の色の色合いは維持される。
【００４３】
よって、出力制御回路６は、照明器具１００からの光の色合いを変えることなく照明器具１００からの光の明るさを暗くする場合、Ｎ個の蛍光ランプからの光の出力と、Ｍ個のＬＥＤからの光の出力と、を別々に調節することが可能になる。
【００４４】
したがって、出力制御回路６は、照明器具１００からの光の色合いを変えることなく照明器具１００からの光の明るさを暗くする場合、照明器具１００からの光の色合いが変わらないように、Ｎ個の蛍光ランプからの光の出力とＭ個のＬＥＤからの光の出力とを同時に低減するという複雑な制御を行わなくて済む。
【００４５】
また、本実施形態では、出力制御回路６は、Ｎ個の蛍光ランプのうち少なくとも１個の蛍光ランプとＭ個のＬＥＤとが光を発している状況で、暗指示を受け付けるごとに、暗指示に応じてＭ個のＬＥＤからの光の出力を変更することなくＮ個の蛍光ランプからの光の総量を徐々に小さくする。また、出力制御回路６は、Ｎ個の蛍光ランプが消灯しＭ個のＬＥＤのうち少なくとも１個のＬＥＤが光を発している状況で、暗指示を受け付けるごとに、Ｎ個の蛍光ランプを消灯したままＭ個のＬＥＤからの光の総量を徐々に小さくする。
【００４６】
よって、本実施形態では、照明器具１００からの照明光を暗くしていく場合、まず、Ｎ個の蛍光ランプからの光の総量を少なくしていき、Ｎ個の蛍光ランプが消灯すると、Ｍ個のＬＥＤからの光の総量を少なくしていく。
【００４７】
蛍光ランプは、交流駆動電圧にて駆動されるため、蛍光ランプから発する光量が少なくなるとチラツキが認識されやすくなる。一方、ＬＥＤは、直流駆動電流にて駆動されるため、ＬＥＤから発する光量が少なくなってもチラツキが発生しない。
【００４８】
このため、本実施形態では、照明器具１００からの照明光を暗くする場合に、ＬＥＤが最後まで点灯しているため、照明器具１００からの照明光でのチラツキが認識される確率を低くすることが可能となる。
【００４９】
また、本実施形態では、出力制御回路６は、Ｎ個の蛍光ランプが消灯しＭ個のＬＥＤからの光の総量が所定量となっていない状況で明指示を受け付けるごとに、Ｎ個の蛍光ランプを消灯したままＭ個のＬＥＤからの光の総量を徐々に大きくする。
【００５０】
また、出力制御回路６は、Ｎ個の蛍光ランプが消灯しＭ個のＬＥＤからの光の総量が所定量となっている状況で明指示を受け付けると、明指示に応じてＭ個のＬＥＤからの光の出力を変更することなくＮ個の蛍光ランプのうち少なくとも１個の蛍光ランプから光を出力させる。
【００５１】
また、出力制御回路６は、Ｎ個の蛍光ランプからの光の総量が特定量となっておらずＭ個のＬＥＤからの光の総量が所定量となっている状況で明指示を受け付けると、明指示に応じてＭ個のＬＥＤからの光の出力を変更することなくＮ個の蛍光ランプからの光の総量を徐々に大きくする。
【００５２】
このため、照明器具１００からの照明光を明るくしていく場合、まず、Ｎ個の蛍光ランプが消灯した状態でＭ個のＬＥＤからの光の総量を多くしていき、Ｍ個のＬＥＤからの光の総量が所定量になると、Ｎ個の蛍光ランプからの光の総量を多くしていく。
【００５３】
よって、本実施形態では、照明器具１００からの照明光を明るくする場合に、ＬＥＤが蛍光ランプよりも先に点灯する。このため、照明器具１００からの照明光が暗い場合に蛍光ランプのみが点灯してチラツキが認識される可能性を低くすることが可能となる。
【００５４】
なお、所定量は、Ｍ個のＬＥＤのそれぞれが最大出力で発した光の総量であり、特定量は、Ｎ個の蛍光ランプのそれぞれが最大出力で発した光の総量であることが望ましい。この場合、Ｍ個のＬＥＤからの光を有効に使用することが可能になる。
【００５５】
また、本実施形態では、調光レベルが約２％以下の場合においても、ＬＥＤへの直流駆動電流の大きさを調光レベルに応じて変更することによって調光を行うため、照明器具１００を点灯することが可能になる。よって、調光レベルの下限値を０％にすることが可能になる。
【００５６】
また、設定手段としてリモコン８が用いられた場合、暗ボタン８１のみの操作により、照明光の明るさが徐々に暗くなるように、Ｎ個の蛍光ランプからの光の出力とＭ個のＬＥＤからの光の出力とを制御することが可能になり、また、明ボタン８２のみの操作により、照明光の明るさが徐々に明るくなるように、Ｎ個の蛍光ランプからの光の出力とＭ個のＬＥＤからの光の出力とを制御することが可能になる。
【００５７】
よって、１つのボタン操作のみで、Ｎ個の蛍光ランプからの光の出力とＭ個のＬＥＤからの光の出力とを制御することが可能になる。
【００５８】
以上説明した実施形態において、図示した構成は単なる一例であって、本発明はその構成に限定されるものではない。
【符号の説明】
【００５９】
１００      照明器具
１〜２      蛍光ランプ
３〜５      ＬＥＤ
６      出力制御回路
７      器具本体
８      リモコン
８１    暗ボタン
８２    明ボタン
９      明るさセンサー
【図１】
2011150914.tif 000003
【図２】
2011150914.tif 000004
【図３】
2011150914.tif 000005